(57)【要約】【課題】既存照明装置本体の規格によらず、反射板のみの交換で照明装置の交換を完了することができる照明装置の汎用性および実用性を向上することである。【解決手段】直管蛍光ランプ２０の光を反射する反射板２と、反射板２の両端側に設けられ直管蛍光ランプ２０の両端を支持するとともに直管蛍光ランプ２０に電力を供給する少なくも一対のソケット５と、反射板２の背面側に設けられ直管蛍光ランプ２０を点灯させる安定器４と、安定器４と電源コードとを接続可能な端子３とを備えた照明装置において、反射板２の四隅側のそれぞれに螺子が挿通可能な長孔６を設けた。【選択図】        図２
0003148564.tif 000002
【実用新案登録請求の範囲】
【請求項１】
直管蛍光ランプの光を反射する反射板と、
反射板の両端側に設けられ直管蛍光ランプの両端を支持するとともに直管蛍光ランプに電力を供給する少なくも一対のソケットと、
反射板の背面側に設けられ直管蛍光ランプを点灯させる安定器と、
安定器と電源コードとを接続可能な端子とを備えた照明装置であって、
前記反射板の四隅側のそれぞれに螺子が挿通可能な長孔を設けたことを特徴とする照明装置。
【請求項２】
前記長孔は、前記反射板の四隅側のそれぞれに複数並列されて設けられていることを特徴とする請求項1に記載の照明装置。
【請求項３】
前記長孔は、直管蛍光ランプの軸方向に対し垂直となる方向に向けて形成されることを特徴とする請求項１または２に記載の照明装置。
【請求項４】
前記反射板を壁側部材から吊るすことが可能な吊下手段を設けたことを特徴とする請求項１から３のいずれかに記載の照明装置。
【請求項５】
前記吊下手段は、一端が反射板の背面側に連結される一対の弦部材と、弦部材の他端に設けられ弦部材を壁側部材に着脱自在に取付ける取付手段とを備え、
一対の弦部材の一端は、反射板の対角線上となる部位に連結されることを特徴とする請求項４に記載の照明装置。
【請求項６】
前記反射板の背面に溶接され安定器が固定されるブラケットを設け、該ブラケットで反射板の背面と安定器との間に空間を設けたことを特徴とする請求項１から５のいずれかに記載の照明装置。
【考案の詳細な説明】
【技術分野】
【０００１】
この考案は、天井等の壁側部材に設置される照明装置に関する。
【背景技術】
【０００２】
従来、天井等の壁側部材に設置される照明装置にあっては、たとえば、図８に示されるように、蛍光ランプの両端を支持するソケットＳと直管蛍光ランプＫを点灯させる安定器Ｃとを備え天井Ｒの開口部に埋め込んで取り付けられる箱型の照明装置本体Ｌと、直管蛍光ランプＫの光を反射する反射板Ｍとを備えて構成されており、反射板Ｍは、照明装置本体Ｌの四隅に設けた螺子孔Ｈ１に符合する四箇所に螺子Ｂが挿通される孔Ｈ２を備え、この孔Ｈ２に挿通される螺子によって照明装置本体Ｌの内方に取り付けるようになっている（特許文献１）。
したがって、従来では、照明装置の交換を行う場合、まず、直管蛍光ランプＫをソケットＳから取り外し、四箇所の螺子Ｂを取り除いて照明装置本体Ｌから反射板Ｍを取り除き、安定器Ｃと電源コードＤとの接続を断ち、古い照明装置本体Ｌを天井Ｒの開口部から取り除く。その後、新しい照明装置本体Ｌを天井Ｒの開口部に取り付け、安定器Ｃと電源コードＤとを接続するべく配線し直し、反射板Ｍを照明装置本体Ｌの内方に固定し、直管蛍光ランプＫをソケットＳに取り付けて、交換手順が完了することになる。
このように、照明装置の交換は、従来では非常に手間と時間がかかり、作業者は天井側、すなわち、上を向いたままの姿勢で交換作業が強いられることから交換作業は重労働であった。
また、照明装置の寿命の関係から、大規模な建築物では、交換対象の照明装置が多数となることもあり、このような場合、上記交換作業に費やされる時間と手間は莫大となることから、交換作業効率の向上が強く望まれていた。
そこで、このような要望に答えるために、照明装置本体にソケット、安定器を設けるのではなく、反射板にソケットと安定器とを取り付けておき、さらに、照明装置本体と反射板に安定器と電源とを接続可能な雄雌の端子を設けるとともに、反射板と照明装置本体に特別な固定手段を設けてワンタッチで反射板を照明装置本体の内方に固定することが可能な照明装置の提案がなされるに到っている（特許文献２）。
この提案では、上記のように、反射板を照明装置本体の内方に固定手段で固定するときに、反射板は照明装置本体側に設けた案内部材に案内されて、上記雄雌の端子が必ず接続されるようになっており、照明装置の交換は、反射板のみで済み、簡単に反射板を照明装置本体に固定することができる。
【特許文献１】特開２０００−１６４００７号公報（図５）
【特許文献２】特開平７−９９００６号公報
【考案の開示】
【考案が解決しようとする課題】
【０００３】
しかし、上記提案の照明装置にあっては、簡単に照明装置の交換が可能となるが、以下の弊害がある。
すなわち、上記提案では、反射板のみの交換を前提として、反射板と照明装置本体のそれぞれが特別な構造を採用している。このことから、実際に照明装置の交換の際に、反射板のみを交換しようとしても、照明装置本体側が上記提案にあるような反射板に対応していなければ、該交換作業を簡単かつスムーズに行うことができず、反射板の交換を行い得ない場合もある。
つまり、既に天井等に設置済みで古くなったり故障したりしてリニューアルが必要な既存の照明装置本体に雄端子が無い場合には、反射板の安定器に接続されている雌端子を電源に接続することができず、結果的に、該雄雌端子を取外して配線し直す等の作業が必要となり、また、反射板と照明装置本体に取り付けるにあたっても、照明装置本体が反射板側の固定手段に対応していない場合には、反射板の交換が不能となる恐れがあるのである。
したがって、上記提案では、反射板も照明装置本体も専用品であるので、照明装置本体が反射板に対応していない場合には、やはり、従来の照明装置と同様に、照明装置本体の交換を強いられることになり、汎用性に乏しく、実用性にかける点があるのである。
そこで、本考案は、上記した不具合を改善するために創案されたものであって、既存照明装置本体の規格によらず、反射板のみの交換で照明装置の交換を完了することができる照明装置の汎用性および実用性を向上することである。
【課題を解決するための手段】
【０００４】
上記した目的を達成するために、本考案の課題解決手段は、直管蛍光ランプの光を反射する反射板と、反射板の両端側に設けられ直管蛍光ランプの両端を支持するとともに直管蛍光ランプに電力を供給する少なくも一対のソケットと、反射板の背面側に設けられ直管蛍光ランプを点灯させる安定器と、安定器と電源コードとを接続可能な端子とを備えた照明装置であって、反射板の四隅側のそれぞれに螺子が挿通可能な長孔を設けたことを特徴とする。
【考案の効果】
【０００５】
本考案の照明装置によれば、反射板の四隅側のそれぞれに螺子が挿通可能な長孔を設けているので、故障やリニューアルが必要な元々天井等に設置済みである規格の異なる種々の既存照明装置本体へ照明装置を取付けることが可能となり、照明装置の汎用性および実用性が向上する。
そして、異なる規格の既存照明装置本体が混在するような建築物における既設の照明装置のリニューアルを行う際にも、同一の照明装置を用意しておけばよいことになるので、作業者がいちいち既存照明装置本体の規格を間近で確認してから、それに適合する照明装置を選び、リニューアル作業を行うといった煩雑な作業を強いられることも回避され、さらには、複数の規格に対応するために異なる照明装置を生産しなくてはならないといった不具合も解消される。
【考案を実施するための最良の形態】
【０００６】
以下に、図示した実施の形態に基づいて、この本考案を説明する。図１は、一実施の形態における照明装置の背面側斜視図である。図２は、一実施の形態における照明装置の反射面側斜視図である。図３は、反射板の断面図である。図４は、照明装置を壁側部材から吊下げた状態を示す図である。図５は、リニューアルが必要な既存照明装置本体から反射板を取り除く手順を示す図である。図６は、リニューアルが必要な既存照明装置本体からソケットを取り除くとともに電源コードを切断する手順を示す図である。図７は、一実施の形態における照明装置をリニューアルが必要な既存照明装置本体に取付ける手順を示す図である。
【０００７】
一実施の形態における照明装置１は、図１および図２に示すように、直管蛍光ランプ２０の光を反射する反射板２と、反射板２の両端側に設けられ直管蛍光ランプ２０の両端を支持するとともに直管蛍光ランプ２０に電力を供給する二対のソケット５と、反射板２の背面側に設けられ直管蛍光ランプ２０を点灯させる安定器４と、安定器４と外部電源から伸びる電源コードとを接続する端子３と、反射板２の四隅側のそれぞれに螺子が挿通可能な長孔６と、反射板２を壁側部材から吊り下げることが可能な吊下手段７，７と、を備えて構成されている。
【０００８】
以下、各部について詳しく説明する。
図１、図２および図３に示すように、反射板２は、頂部ａと、頂部ａの四辺から延びて頂部ａの四方を囲む側部ｂとを備えて反射面２ａ側が開口された断面略台形状の細長の箱型に形成され、また、頂部ａと側部ｂとは湾曲面で連なり、側部ｂの外周にはフランジ状の縁部２ｂが設けられている。なお、上記した反射板２の形状は、これに限定されるものではなく、他の形状とすることもできる。
【０００９】
そして、反射板２の頂部ａにおける長手方向の両端部には、それぞれ短手方向に並べて二つ、すなわち、両端で合計四つの切欠孔２ｃが開口され、一端側の切欠孔２ｃと他端側の切欠孔２ｃとは互いに対向する位置に開口されている。
【００１０】
この切欠孔２ｃには、それぞれ、ソケット５とソケット５を支持するＬ字状の金具１０が反射板２の背面２ｄ側から挿通され、上記金具１０は、反射板２にリベット止め等によって固定され、これによって四つのソケット５が反射板２の反射面２ａ側に突出するように取付けられている。
【００１１】
そして、反射板２の長手方向で対向するソケット５同士で直管蛍光ランプ２０の両端を支持することができるとともに、該直管蛍光ランプ２０の両端に設けられる電極に通電することができるようになっている。なお、ソケット５は、上述のように直管蛍光ランプ２０の端部を支持でき通電可能なものであれば、どのような形式のものでも採用可能である。
【００１２】
したがって、直管蛍光ランプ２０は、反射板２の内方、すなわち、反射面２ａ側に設置され、反射面２ａで直管蛍光ランプ２０の光を照らしたい箇所へ効率よく反射することができるようになっている。
【００１３】
さらに、反射板２の頂部ａの四隅側のそれぞれには、螺子が挿通可能な長孔６が二つずつ並列されて全体で合計八箇所に設けられており、具体的には、これら長孔６は長手方向に対向するソケット５が設けられる位置より内側となる位置であって、また、それぞれ直管蛍光ランプ２０の軸方向に垂直をなす方向に向けて開口されている。
【００１４】
続いて、図１に示すように、反射板２の頂部ａにおける背面２ｄには、安定器４が一対のブラケット１１，１２を介して取付けられており、安定器４は、各ソケット５に電力供給用のコード（図示せず）を介して電力供給することが可能であって、ソケット５によって支持される直管蛍光ランプ２０を点灯することができるようになっている。
【００１５】
なお、安定器４は、本稿では広義に解釈しており、直管蛍光ランプ２０に流れる電流を制御し、直管蛍光ランプ２０の点灯に必要な始動電圧と各電極に適正な余熱電圧を供給できるものであり、ラピッドスタート型やインバータ型といった種々の形式のものを作用することが可能である。
【００１６】
また、上記一対のブラケット１１，１２は、ともに、反射板２の頂部ａの背面２ｄにスポット溶接等で溶接接合される底部１１ａ，１２ａと、底部１１ａ，１２ａから立ち上がる立上部１１ｂ，１２ｂと、立上部１１ｂ，１２ｂから水平に延びる水平部１１ｃ，１２ｃと、を備えて構成され、反射板２の背面２ｄの一端側と中央側の互いに対向する位置に固定され、安定器４は、各ブラケット１１，１２の水平部１１ｃ，１２ｃに架け渡されるようにして螺子止め等によって固定されている。
【００１７】
したがって、安定器４は、上記各ブラケット１１，１２によって反射板２の背面２ｄ側に固定されているので、安定器４と反射板２の背面２ｄとの間には、ブラケット１１，１２の立上部１１ｂ，１２ｂの高さ分の隙間が生じて、空間が設けられるようになっている。
【００１８】
上記のように、この照明装置１にあっては、安定器４と反射板２との間に空間が設けられているので、安定器４が動作中に発生する熱を外気に効率的に放熱することが可能となっている。
【００１９】
また、安定器４は、反射板２に溶接によって固定されるブラケット１１，１２を介して該反射板２に取付けられているので、安定器４を固定する螺子等が反射板２の反射面２ａ側に突出することが防止されており、これにより、照明装置１の美観が損なわれることがないとともに、直管蛍光ランプ２０の光を効率よく反射することが可能となっている。
【００２０】
さらに、上記した各ブラケット１１，１２のうち、反射板２の中央側に固定されているブラケット１２の水平部１２ｃには、端子３が設けられており、この端子３は、外部電源から伸びる２本の電源コードと、アース用コードとに接続可能であるとともに、安定器４にコード（図示省略）で接続され、この端子３を介して安定器４に外部電源から電力供給を行うことができるようになっている。
【００２１】
また、反射板２の背面２ｄの他端に、上記ブラケット１１と同形状のブラケット１３がスポット溶接等によって溶接接合されており、このブラケット１３と、上記した各ブラケット１１，１２のうち、反射板２の一端側に固定されているブラケット１１の水平部１１ｃには、それぞれ、弦部材たるワイヤ１４の一端が連結され、このワイヤ１４の他端には、取付手段たるフック１５が設けられている。
【００２２】
上記取付手段たるフック１５は、図４に示すように、故障やリニューアルが必要な元々天井Ｒ等に設置済みであった反射板を取り除いた壁側部材となる既存照明装置本体３０へワイヤ１４を着脱自在に取付けることが可能であり、既存照明装置本体３０のフック１５を引っ掛けることが可能な箇所に当該フック１５を引っ掛けることによって、壁側部材たる既存照明装置本体３０から各フック１５とワイヤ１４とで反射板２を吊下げることができるようになっている。
【００２３】
したがって、本実施の形態においては、上記一対のワイヤ１４とフック１５とで吊下手段が構成されていることになる。なお、取付手段としては、上記フック１５以外にも、ワイヤ１４を既存照明装置本体３０に着脱自在に取付けることができるものであればよく、取付手段には螺子や他の金具を採用することも可能であるが、フック１５は既存照明装置本体３０へ引っ掛ける簡単な作業で反射板２を吊下げることができ便利である。また、上記フック１５は、いわゆるナスカンフックとされており、上記既存照明装置本体３０へ引っ掛けると、ロックされて脱落することが無いようになっている。
【００２４】
そして、上記各ワイヤ１４のブラケット１１，１３への連結位置は、反射板２の対角線上となる部位とされている。これにより、反射板２を既存照明装置本体３０から吊下げても、反射板２が極端に傾くような事態が防止されている。
【００２５】
なお、弦部材としては、フレキシブルで照明装置１の総重量によって破断しない充分な強度を備えているものであればよく、上記したワイヤ１４の他に、たとえば、チェーンやロープ、紐等を用いることができる。
【００２６】
また、安定器４を支持する一方のブラケット１１と、ワイヤ１４が連結されるブラケット１３を同一形状として部品形状が統一されているので、生産性が向上し、製造コストも低減されることになる。
【００２７】
さて、上述のように構成された照明装置１は、以下に示すような手順で、天井Ｒに設置されている既存照明装置本体３０に取付けることができる。
【００２８】
まず、交換対象の照明装置である既存照明装置本体３０から、図５に示すように、直管蛍光ランプ３１を取り除き、さらに、反射板３２の四隅を貫き既存照明装置本体３０の螺子孔３０ａに捩じ込まれている螺子３３を緩めて取り払って、反射板３２を既存照明装置本体３０から取り除く。
【００２９】
続いて、図６に示すように、既存照明装置本体３０の安定器３４に電力供給している電源コード３５を下方に引き出し、任意の箇所にて切断するとともに、既存照明装置本体３０に備え付けのソケット３６を、ソケット３６と安定器３４とを接続している図示しないコードを切断してから該既存照明装置本体３０から取り除く。
【００３０】
その後、図４に示すように、各フック１５を既存照明装置本体３０の適宜の箇所に引っ掛けて照明装置１を吊下げ、その状態を保って、電源コード３５を端子５に接続する。このとき、上記した弦部材たるワイヤ１４の長さは、照明装置１を吊下げた状態で脚立等に乗って作業を行っている作業者が充分に反射板２の背面２ｄを見下ろすことができるような長さに設定されており、上記した電源コード３５を端子３に接続する作業を行う際には、作業者は、上方を見上げるような作業負担が重くなりがちな体勢を強いられることがないので、作業負担が軽減され、また、手元を楽に確認しながら作業を行えるので作業効率も向上することになる。
【００３１】
さらに、上述のように、上記各ワイヤ１４のブラケット１１，１３への連結位置は、反射板２の対角線上となる部位とされて、反射板２を既存照明装置本体３０から吊下げても、反射板２が極端に傾くような事態が防止されている。
【００３２】
したがって、反射板２が作業者側と反対方向に大きく傾いてしまって、わざわざ作業者が脚立から降り、脚立をずらして、再度脚立に乗って反射板２の反対側に回り込むことを強いられたり、電源コード３５を端子３に接続する危険を伴う作業を行う際に、反射板２の傾きの補正を強いられたりといった煩わしさがなく、作業負担が軽減されるとともに、作業性の向上および作業員の安全性が確保されることになる。
【００３３】
引き続き、上述の状態から、図７に示すように、反射板２を既存照明装置本体３０の内方へ挿入し、反射板２に設けた各長孔６のうち螺子孔３３の位置と一致する四箇所の長孔６に螺子３３を挿入するとともに、該螺子３３を螺子孔３０ａに捩じ込んで反射板２を既存照明装置本体３０に螺子止めする。すなわち、古い既存照明装置本体３０はそのまま嵌め殺しとなり、新たな照明装置１を天井Ｒ等に固定する役割を果たすのみとなる。
【００３４】
また、上記した反射板２には縁部２ｂが設けられているので、既存照明装置本体３０の枠を縁部２ｂで覆い隠すことができ、さらには、照明装置１の外周周りのサイズが既存照明装置本体３０のそれより多少小さい場合に合っても、照明装置１の外周と既存照明装置本体３０の枠との間に隙間を生じさせることがないので、リニューアル後の照明装置１回りの美観を損ねることが防止されている。
【００３５】
そして、上述のように、照明装置１を従前に使用されていた既存照明装置本体３０に取付けるために螺子３３が挿通される孔が長孔６とされており、既存照明装置本体３０の螺子孔３０ａの位置に長孔６の一部が一致すれば、照明装置１を既存照明装置本体３０に取付けることが可能とであるから、規格の異なる種々の既存照明装置本体３０へ同一の照明装置１を取付けることが可能となり、照明装置１の汎用性および実用性が向上する。
【００３６】
そして、異なる規格の既存照明装置本体３０が混在するような建築物における既設の照明装置のリニューアルを行う際にも、同一の照明装置１を用意しておけばよいことになるので、作業者がいちいち既存照明装置本体３０の企画を間近で確認してから、それに適合する照明装置を選び、リニューアル作業を行うといった煩雑な作業を強いられることも回避され、さらには、複数の規格に対応するために異なる照明装置を生産しなくてはならないといった不具合も解消される。
【００３７】
したがって、長孔６は、反射板２の四隅のそれぞれに一つずつの全体で合計四つ設けるようにしてもよいが、本実施の形態のように、二つずつ並列に設けておくことによって、より多くの異なる規格の既存照明装置本体３０に対応することが可能となり、照明装置１の汎用性および実用性がより一層向上し、また、上記したリニューアル作業の煩雑化をより一層回避可能であり、生産の点でも有利となる。なお、並列される長孔６の数を、ふやせばより多くの規格に対応可能なことはいうまでもない。
【００３８】
また、既存照明装置本体３０の螺子孔３０ａの位置は、既存照明装置本体３０の直管蛍光ランプ３１に真上に設けられることが多いことから、長孔６を直管蛍光ランプ２０の軸方向に対し垂直に向く方向に設けることによって、既存照明装置本体３０の直管蛍光ランプの間隔および搭載本数と、照明装置１の直管蛍光ランプ２０の間隔や搭載本数とが異なっても、照明装置１を取付けられる可能性が大きくなり有利となる。
【００３９】
したがって、反射板２の四隅のそれぞれに複数の長孔６を直管蛍光ランプ２０の軸方向に対し垂直に向く方向に設けて並列させると、照明装置１を効果的に既存照明装置本体３０のより多くの規格に対応させることが可能となるのである。
【００４０】
最後に、ソケット５，５に直管蛍光ランプ２０を装着して、照明装置のリニューアルが完了する。
【００４１】
なお、取付手段たるフック１４は既存照明装置本体３０に取付けたままとしておいてあり、何らかの理由で、螺子３３が緩んで抜けてしまい、照明装置１が既存照明装置本体３０から抜けてしまうようなことがあっても、照明装置１は上記吊下手段７，７で吊下げられて床に落下してしまうことがないので、照明装置１の安全性、信頼性が向上する。
【００４２】
以上で、本考案の実施の形態についての説明を終えるが、本考案の範囲は図示されまたは説明された詳細そのものには限定されないことは勿論である。
【図面の簡単な説明】
【００４３】
【図１】一実施の形態における照明装置の背面側斜視図である。
【図２】一実施の形態における照明装置の反射面側斜視図である。
【図３】一実施の形態における反射板の断面図である。
【図４】照明装置を壁側部材から吊下げた状態を示す図である。
【図５】リニューアルが必要な既存照明装置本体から反射板を取り除く手順を示す図である。
【図６】リニューアルが必要な既存照明装置本体からソケットを取り除くとともに電源コードを切断する手順を示す図である。
【図７】一実施の形態における照明装置をリニューアルが必要な既存照明装置本体に取付ける手順を示す図である。
【図８】従来の照明装置の構造を示す分解斜視図である。
【符号の説明】
【００４４】
１    照明装置
２    反射板
３    端子
４    安定器
５    ソケット
６    長孔
７    吊下手段
２ａ  反射面
２ｂ  縁部
２ｃ  切欠孔
２ｄ  背面
１０  金具
１１，１２，１３  ブラケット
１１ａ，１２ａ  底部
１１ｂ，１２ｂ  立上部
１１ｃ，１２ｃ  水平部
１４  弦部材たるワイヤ
１５  取付手段たるフック
２０  直管蛍光ランプ
３０  壁側部材となる既存照明装置本体
ａ    頂部
ｂ    側部
【図１】
0003148564.tif 000003
【図２】
0003148564.tif 000004
【図３】
0003148564.tif 000005
【図４】
0003148564.tif 000006
【図５】
0003148564.tif 000007
【図６】
0003148564.tif 000008
【図７】
0003148564.tif 000009
【図８】
0003148564.tif 000010